(57)【特許請求の範囲】
【請求項１】
加熱調理部からの排気を吸引する吸気口を有するレンジフードと、前記吸気口から吸引した排気を清浄する清浄機と、該清浄機により清浄化された排気を室内に排出する排気口と、を備えるキッチン台であって、
前記清浄機本体は、前記キッチン台に取り外し自在に組み付けられているとともに、前記清浄機本体には吸気用連通口が形成されており、前記キッチン台に組み付けられた状態において、前記レンジフードの吸気口と前記清浄機本体の吸気用連通口とが連通するようになっているとともに、前記排気口は、前記レンジフードのフード部の背面側に設けられている、ことを特徴とするキッチン台。
【請求項２】
加熱調理部からの排気を吸引する吸気口を有するレンジフードと、前記吸気口から吸引した排気を清浄する清浄機と、該清浄機により清浄化された排気を室内に排出する排気口と、を備えるキッチン台であって、
前記清浄機本体は、前記キッチン台に設けられたガイドレールを介して、該キッチン台に対してスライド移動により取り外し自在に組み付けられているとともに、前記清浄機本体には吸気用連通口が形成されており、前記キッチン台に組み付けられた状態において、前記レンジフードの吸気口と前記清浄機本体の吸気用連通口とが連通するようになっている、ことを特徴とするキッチン台。
【請求項３】
前記排気口が前記レンジフードに設けられているとともに、前記清浄機本体には排気用連通口が形成されており、前記清浄機本体が前記キッチン台に組み付けられた状態において、前記レンジフードの排気口と前記清浄機本体の排気用連通口とが連通するようになっている、ことを特徴とする請求項１または請求項２のいずれかに記載のキッチン台。
【請求項４】
前記清浄機本体は、前記キッチン台の側面から取り付け、取り外し自在に設けられている、ことを特徴とする請求項１乃至請求項３のいずれかに記載のキッチン台。
【請求項５】
前記清浄機本体は、前記加熱調理器の下方位置に配設されている、ことを特徴とする請求項１乃至請求項４のいずれかに記載のキッチン台。
【発明の詳細な説明】
【技術分野】
【０００１】
本発明は、加熱調理部からの排気を室外に排出することなく、清浄機にて清浄化して室内に排出するようにしたキッチン台に関する。
【背景技術】
【０００２】
従来、この種のキッチン台としては、自立型架台（キッチン台）に空気清浄機を備え、吸引した排気を清浄化して排出するようにしたもの等がある（例えば、特許文献１参照）。
【０００３】
【特許文献１】特開２００４−３１０８９号公報（段落００１８、図１）
【発明の開示】
【発明が解決しようとする課題】
【０００４】
しかしながら、上記特許文献１に記載の自立型架台のように、吸引した排気を空気清浄機にて清浄して排気するものにあっては、空気清浄機の内部が排気により汚れやすいため、清掃等のメンテナンスが必要となるが、上記特許文献１に記載の自立型架台は、架台上部に設けられたフード上面に配置されているため、メンテナンス作業をしにくいばかりか、空気清浄機本体がフード上部に露呈して外観体裁が悪いといった問題があった。
【０００５】
本発明は、このような状況に鑑みてなされたものであり、吸引した排気により汚れることがなく、かつ、清浄機の清掃等のメンテナンスを容易に行うことができるキッチン台を提供することを目的とするものである。
【課題を解決するための手段】
【０００６】
前記課題を解決するために、本発明の請求項１に記載のキッチン台は、加熱調理部からの排気を吸引する吸気口を有するレンジフードと、前記吸気口から吸引した排気を清浄する清浄機と、該清浄機により清浄化された排気を室内に排出する排気口と、を備えるキッチン台であって、前記清浄機本体は、前記キッチン台に取り外し自在に組み付けられているとともに、前記清浄機本体には吸気用連通口が形成されており、前記キッチン台に組み付けられた状態において、前記レンジフードの吸気口と前記清浄機本体の吸気用連通口とが連通するようになっているとともに、前記排気口は、前記レンジフードのフード部の背面側に設けられている、ことを特徴としている。
この特徴によれば、清浄機本体がキッチン台に対して取り外し自在であることで、清浄機の清掃やメンテナンスをキッチン台から取り外した状態で容易に行うことができるとともに、レンジフードの吸気口から吸引された排気は、キッチン台の所定部位を介すことなく、清浄機本体の吸引用連通口を介して清浄機本体の内部に直接誘導されるため、吸引した排気によりキッチン台が汚れることが防止される。そして排気口から排出された排気が調理者に直接吹き付けられることがないばかりか、排気口から排出された排気により、熱調理部からの排気の吸引が妨げられて、吸気効率が低減することを効果的に防止できる。
【０００７】
本発明の請求項２に記載のキッチン台は、加熱調理部からの排気を吸引する吸気口を有するレンジフードと、前記吸気口から吸引した排気を清浄する清浄機と、該清浄機により清浄化された排気を室内に排出する排気口と、を備えるキッチン台であって、前記清浄機本体は、前記キッチン台に設けられたガイドレールを介して、該キッチン台に対してスライド移動により取り外し自在に組み付けられているとともに、前記清浄機本体には吸気用連通口が形成されており、前記キッチン台に組み付けられた状態において、前記レンジフードの吸気口と前記清浄機本体の吸気用連通口とが連通するようになっている、ことを特徴としている。
この特徴によれば、清浄機本体をスライド移動により容易に出し入れできるとともに、ガイドレールにより組み付け位置まで確実に案内されるため、レンジフードの吸気口と清浄機本体の吸引用連通口との連通が確実に行われる。
【０００８】
本発明の請求項３に記載のキッチン台は、請求項１または請求項２のいずれかに記載のキッチン台であって、前記排気口が前記レンジフードに設けられているとともに、前記清浄機本体には排気用連通口が形成されており、前記清浄機本体が前記キッチン台に組み付けられた状態において、前記レンジフードの排気口と前記清浄機本体の排気用連通口とが連通するようになっている、ことを特徴としている。
この特徴によれば、排気口が予めレンジフードに設けられていることで、キッチン台に排気口を形成する必要がない。
【０００９】
本発明の請求項４に記載のキッチン台は、請求項１乃至請求項３のいずれかに記載のキッチン台であって、前記清浄機本体は、前記キッチン台の側面から取り付け、取り外し自在に設けられている、ことを特徴としている。
この特徴によれば、キッチン台上に調理用具や材料等がある状態でも、清浄機本体の取り付け、取り外し作業を行うことができる。
【００１１】
本発明の請求項５に記載のキッチン台は、請求項１乃至請求項４のいずれかに記載のキッチン台であって、前記清浄機本体は、前記加熱調理器の下方位置に配設されている、ことを特徴としている。
この特徴によれば、加熱調理器の下方位置に体裁よく配置することができる。
【発明を実施するための最良の形態】
【００１２】
本発明の実施例を図面に基づいて以下に説明する。
【実施例】
【００１３】
本発明の実施例を図面に基づいて説明すると、図１は本発明の実施例としてのキッチン台を示す斜視図であり、図２は図１のキッチン台を示す分解斜視図であり、図３はガイドレールの構造を示す概略図であり、図４はレンジフードの組み付け状態を示す斜視図であり、図５は図４のＡ−Ａ断面図である。
【００１４】
図１には、本発明が適用されたキッチン台１が示されている。このキッチン台１は、室内の壁面から離れた箇所に配置される独立型のキッチン台であり、図中キッチン台１に向かって天板１ａの左側には、シンク２が設けられているとともに、天板１ａの右側には、加熱調理部としてのＩＨ（induction heating）調理器３が配置されている。また、ＩＨ調理器３の後方には、該ＩＨ調理器３にて調理した際に発生する煙や臭気等の排気の拡散を防止するとともに、該排気を吸引する吸気口４が前面側に設けられたフード部５と、該フード部５の背面側左右に配置され、前記吸気口４から吸引した後、キッチン台１内部に設けられた清浄機としての空気清浄機８にて清浄化された排気が排出される排気口６ａ、６ｂと、を備えるレンジフードユニット７が組み付けられている。
【００１５】
なお、本実施例においては、加熱調理器の一例として、電磁誘導作用により調理材等を加熱する電磁調理器であるＩＨ調理器３が適用されていたが、本発明はこれに限定されるものではなく、例えばガスコンロ等であってもよい。
【００１６】
天板１ａ上に配置された加熱調理器３の下方には、吸気口４から吸引した排気を清浄する空気清浄機８が配置されており、この空気清浄機８にて清浄した排気を排気口６ａ、６ｂを介して室内に排出できるようになっている。つまり、本実施例におけるキッチン台１は、ＩＨ調理器３から発生する煙や臭気等の排気を吸引口４から吸引し、空気清浄機８にて清浄化した排気を、室外に排気することなく、排気口６ａ、６ｂから室内に排気するようになっているため、室内が負圧状態になることが防止される。
【００１７】
図２に示されるように、天板１ａは、略矩形状のステンレス鋼板をプレス切断することにより横長の長方形状に形成するとともに、ＩＨ調理器３を組み付けるための調理器用開口９と、後述するようにレンジフードユニット７と空気清浄機８とを連通するための連通用開口１０とをレーザー切断により形成し、該ステンレス鋼板周囲を折板加工した後、その下面に木板を貼り付けることにより形成されている。
【００１８】
レンジフードユニット７は、図４及び図５に示されるように、天板１ａ上に配置されるとともに、左右側に排気口６ａ、６ｂが形成された横長の取付板７ａと、該取付板７ａの前辺部上に立設されたフード部５と、から主に構成されている。フード部５は、上方に向かうに従って前側に湾曲するように形成されており、その前面側中央位置には、排気を吸引する吸気口４が設けられている。また、フード部５の左右幅寸法は、ＩＨ調理器３の左右幅寸法よりも長寸に形成されているため、調理に伴う煙や臭気等の排気の拡散を回避できる。なお、吸気口４の前方には目隠し板（整流板）４ａが配設されている。
【００１９】
フード部５の下部における左右方向の中央位置には、吸気口４から吸引された排気を下方に向けて誘導する上下方向を向く吸気用ダクト１１（図５参照）が形成されている。この吸気用ダクト１１は、取付板７ａを貫通して該取付板７ａの下方まで延設されている。
【００２０】
また、取付板７ａの下面における左右の排気口６ａ、６ｂからは、排気用ダクト１２ａ、１２ｂが下方に向けてそれぞれ延設されている。なお、排気口６ａ、６ｂには排気口カバー１７がそれぞれ着脱自在に取り付けられている。
【００２１】
これら吸気用ダクト１１及び排気用ダクト１２ａ、１２ｂの下端は、後述する空気清浄機８に形成された吸気用連通口１３及び排気用連通口１４ａ、１４ｂ内に所定深さ嵌合可能な長さを有しているとともに、これらの下部所定箇所には、嵌合時において、吸気用連通口１３及び排気用連通口１４ａ、１４ｂの周囲に設けられたパッキンＰの上端面に当接可能な外向きに延びるフランジ部Ｆがそれぞれ環状に形成されている。
【００２２】
このように構成されたレンジフードユニット７は、図示しない止め具を介して、図２に示されるように、天板１ａの上面に対して取り付け、取り外し自在に取り付けできるようになっており、空気清浄機８のメンテナンスや交換作業に伴って、キッチン台１から取り外した状態で清掃できるようになっている。
【００２３】
空気清浄機８の本体前面には、化粧板８ａが取り付けられているとともに、該化粧板８ａの上方には取手Ｔが取り付けられており、該取手Ｔを介して、キッチン台１におけるＩＨ調理３の下方に形成された収納空間部Ｓに対して引き出し自在になっている。
【００２４】
具体的には、図２及び図３に示されるように、収納空間部Ｓ内上部左右壁には、正面視Ｌ字状をなすガイドレール１６が前後方向に向けて取り付けられており、空気清浄機８の本体上部左右側には、ガイドレール１６に吊支される摺動レール１５がそれぞれ前後位置に取り付けられており、これらガイドレール１６及び摺動レール１５を介して、空気清浄機８本体がキッチン台１に対して前後方向にスライド移動自在に吊支されている。
【００２５】
また、空気清浄機８の本体上面後方位置には、前述した吸気用連通口１３及び排気用連通口１４ａ、１４ｂが形成されているとともに、これら連通口の外面周囲にはパッキンＰが取り付けられており、嵌合された吸気用ダクト１１及び排気用ダクト１２ａ、１２ｂと密封状態で接続されるようになっている。
【００２６】
空気清浄機８の本体内部には、吸気口４及び吸気用ダクト１１を介して排気を吸引するとともに、排気用ダクト１２ａ、１２ｂ及び排気口６ａ、６ｂを介して排気を排出するためのファン１８と、内部に誘導された排気を清浄するための清浄フィルタ１９等が配設されている。また、特に図示はしないが、吸気用ダクト１１から流入した排気を清浄フィルタ１９に向けて誘導する誘導通路と、清浄フィルタ１９から排出された排気を左右の排気用ダクト１２ａ、１２ｂに向けて誘導する誘導通路と、が配設されている。
【００２７】
なお、本実施例における空気清浄機８は、特に図示しないが、内部の清浄フィルタ１９が汚れた場合等において、上板を取り外して上面を開口することにより、清浄フィルタ１９や内部を清掃したり、清浄フィルタ１９を交換することができるようになっている。
【００２８】
また、本実施例においては、空気清浄機８の内部に設けられたファン１８のみにより吸気口４から排気を吸引するようになっているが、レンジフードユニット７の吸気用ダクト１１内部に吸気用のファンを設けてもよい。
【００２９】
次に、レンジフードユニット７と空気清浄機８との連通状況について、図４及び図５に基づいて説明すると、まず、レンジフードユニット７及び空気清浄機８をキッチン台１に対して組み付けるには、図２に示されるように、空気清浄機８を横向きにしたまま、キッチン台１における収納空間部Ｓの前面開口から該収納空間部Ｓ内に収納する。具体的には、収納空間部Ｓ内に設けられたガイドレール１６（図３参照）に摺動レール１５を差し込んだ後、空気清浄機８を押し込む。このとき、空気清浄機８は、摺動レール１５を介してガイドレール１６に沿って収納位置（図５参照）までスライド移動により案内されるので、収納位置における左右方向の位置ずれが防止される。
【００３０】
そして、空気清浄機８の本体を収納空間部Ｓ内における収納位置まで押し込んだ状態で、図２及び図４に示されるように、レンジフードユニット７を天板１ａの上方から下降し、連通用開口１０内に吸気用ダクト１１及び排気用ダクト１２ａ、１２ｂを挿通させる。連通用開口１０に挿通した吸気用ダクト１１及び排気用ダクト１２ａ、１２ｂの下端部は、図５に示されるように、収納位置に収納されている空気清浄機８の吸気用連通口１３及び排気用連通口１４ａ、１４ｂ内に嵌合されるとともに、各ダクトにおけるフランジ部Ｆの下面が、パッキンＰの上面に当接、押圧される。
【００３１】
これにより、吸気口４と吸気用連通口１３とが、レンジフードユニット７に形成された吸気用ダクト１１を介して連通するとともに、排気口６ａ、６ｂと排気用連通口１４ａ、１４ｂとが、同じくレンジフードユニット７に形成された排気用ダクト１２ａ、１２ｂを介してそれぞれ連通することになる。また、接続部はパッキンＰとフランジ部Ｆとの当接により確実に密封されるため、接続部から排気が漏出することがない。
【００３２】
この状態で、天板１ａの所定箇所に、取付板７ａの所定箇所を図示しない止着具にて止着することで、レンジフードユニット７が天板１ａ上に固定されるとともに、吸気用ダクト１１及び排気用ダクト１２ａ、１２ｂの下端が吸気用連通口１３及び排気用連通口１４ａ、１４ｂ内にそれぞれ嵌合されることで、空気清浄機８の前後方向への移動が規制されるので、空気清浄機８の収納位置での固定が、ネジ等を用いることなく嵌合により行われる。
【００３３】
また、このようにレンジフードユニット７と空気清浄機８とがキッチン台１における組み付け位置に組み付けられることで、レンジフードユニット７側の吸気口４と、空気清浄機８側の吸気用連通口１３とが吸気用ダクト１１を介して連通するとともに、レンジフードユニット７側の排気口６ａ、６ｂと、空気清浄機８側の排気用連通口１４ａ、１４ｂとが排気用ダクト１２ａ、１２ｂを介してそれぞれ連通することで、吸気口４から吸引された排気は、図５中黒矢印で示されるように、キッチン台１内に漏出することなく、吸気口４から空気清浄機８内に直接流入するとともに、清浄フィルタ１９からファン１８を介して排出された清浄化された排気は、排気用ダクト１２ａ、１２ｂを介して排気口６ａ、６ｂから直接排出されることになる。
【００３４】
このように、吸気口４から吸引された排気や、清浄フィルタ１９からファン１８を介して排出された清浄された排気は、キッチン台１内を流動することなく、レンジフードユニット７に設けられた吸気用ダクト１１や排気用ダクト１２ａ、１２ｂ等を介して流動するため、キッチン台１等が排気により汚れたりすることがない。また、接続部はパッキンＰにより密封されるため、排気がキッチン台１内部に漏出することが確実に防止される。
【００３５】
また、空気清浄機８本体がキッチン台１に対して取り外し自在であることで、空気清浄機８の清掃やメンテナンスをキッチン台１から取り外した状態で容易に行うことができるとともに、フード部５の吸気口４から吸引された排気は、キッチン台１の所定部位を介すことなく、空気清浄機８本体の吸気用連通口１３を介して空気清浄機８本体の内部に直接誘導されるため、排気によりキッチン台１が汚れることがない。
【００３６】
また、排気口６ａ、６ｂがレンジフードユニット７の取付板７ａに設けられているとともに、空気清浄機８本体には排気用連通口１４ａ、１４ｂが形成されており、空気清浄機８本体がキッチン台１に組み付けられた状態において、レンジフードユニット７の排気口６ａ、６ｂと空気清浄機８本体の排気用連通口１４ａ、１４ｂとが、レンジフードユニット７側に設けられた排気用ダクト１２ａ、１２ｂを介して連通することで、空気清浄機８本体から排出される排気も、キッチン台１の所定部位を介すことなく、空気清浄機８本体の排気用連通口１４ａ、１４ｂを介してレンジフードユニット７の排気口６ａ、６ｂから排出される。また、排気口６ａ、６ｂが予めレンジフードユニット７に設けられていることで、キッチン台１に排気口を形成する必要がない。
【００３７】
なお、本実施例においては、排気口６ａ、６ｂはレンジフードユニット７側に形成されていたが、本発明はこれに限定されるものではなく、例えば図６に示されるように、キッチン台１の背面板１ｂ所定箇所に排気口２１を形成するとともに、収納位置に収納された空気清浄機８の背面に排気用連通口２０を形成し、これら排気口２１と排気用連通口２０とをパッキンＰにて連通させることで、空気清浄機８からの清浄された排気をキッチン台１上面以外の箇所（ここでは背面）等から排出させてもよい。
【００３８】
また、空気清浄機８本体は、キッチン台１の側面の一部である前面側から取り付け、取り外し自在に設けられていることで、キッチン台１上に調理用具や材料等がある状態でも、空気清浄機８本体の取り付け、取り外し作業を行うことができる。さらに、空気清浄機８本体は、キッチン台１内部におけるＩＨ調理器３の下方位置に形成された収納空間部Ｓ内に、横向きで体裁よく収納されるため、外観体裁が損なわれることがない。
【００３９】
また、清浄化された排気を室内に排出する排気口６ａ、６ｂは、レンジフードユニット７のフード部５の背面側に設けられているので、排気口６ａ、６ｂから排出された排気が調理者に直接吹き付けられることがないばかりか、排気口６ａ、６ｂから排出された排気により、ＩＨ調理器３上での調理により発生する煙や臭気等の排気の吸引が妨げられて、吸気効率が低減することを効果的に防止できる。
【００４０】
また、空気清浄機８本体は、ガイドレール１６及び摺動レール１５を介してスライド移動自在に設けられていることで、空気清浄機８本体をスライド移動により、キッチン台１に対して容易に出し入れできるとともに、ガイドレール１６により組み付け位置まで確実に案内されるため、レンジフードユニット７の吸気口４と空気清浄機８本体の吸気用連通口１３との連通が確実に行われる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例では、空気清浄機８本体は、ＩＨ調理器３の下方位置に横向きに収納されるようになっていたが、空気清浄機８の本体はキッチン台１の内部に配置されるものであれば、その収納位置や向き等は前記実施例に記載のものに限定されるものではなく、特に図示しないが、例えばレンジフードユニット７の下方位置に縦向きに配置してもよい。
【００４３】
また、前記実施例では、吸気口４と吸気用連通口１３とが吸気用ダクト１１を介して連通され、さらに排気口６ａ、６ｂと排気用連通口１４ａ、１４ｂとがそれ排気用ダクト１２ａ、１２ｂを介して連通されていたが、これらダクトを介すことなく連通されるようにしてもよい。また、吸気用ダクト１１や排気用ダクト１２ａ、１２ｂは、空気清浄機８の本体側に設けられていてもよい。
【００４４】
また、前記実施例では、吸気用ダクト１１や排気用ダクト１２ａ、１２ｂが吸気用連通口１３や排気用連通口１４ａ、１４ｂ内に嵌合されるようになっていたが、吸気口４や排気口６ａ、６ｂが空気清浄機８の本体内部と連通すれば、ダクトが嵌合されなくてもよい。
【００４５】
さらに、前記実施例では、吸気用ダクト１１や排気用ダクト１２ａ、１２ｂは、それぞれ独立したダクトとして形成されているが、これら吸排気用のダクトを１つのダクトで形成し、該ダクト内を仕切板等で吸気用ダクトと排気用ダクトとに区画した構造とすれば、部品点数が少なくなり、製造コストを効果的に低減できる。
【００４６】
また、前記実施例では、空気清浄機８本体は、キッチン台１の前面から出し入れできるように構成されていたが、左右側面や背面等の側面側から取り付け、取り外しできるようにしてもよい。
【００４７】
また、前記実施例に記載のキッチン台１は、独立型のキッチン台が適用されていたが、一側面（例えば背面や左右側面）を室内の壁等に沿って配置するキッチン台を適用してもよい。
【図面の簡単な説明】
【００４８】
【図１】本発明の実施例としてのキッチン台を示す斜視図である。
【図２】図１のキッチン台を示す分解斜視図である。
【図３】ガイドレールの構造を示す概略図である。
【図４】レンジフードの組み付け状態を示す斜視図である。
【図５】図４のＡ−Ａ断面図である。
【図６】本発明の変形例としてのキッチン台の要部を示す断面図である。
【符号の説明】
【００４９】
１          キッチン台
１ａ        天板
３          加熱調理器（加熱調理部）
４          吸気口
５          フード部
６ａ、６ｂ  排気口
７          レンジフードユニット（レンジフード）
７ａ        取付板
８          空気清浄機（清浄機）
９          調理器用開口
１０        連通用開口
１１        吸気用ダクト
１２ａ、１２ｂ  排気用ダクト
１３        吸気用連通口
１４ａ、１４ｂ  排気用連通口
１５        摺動レール
１６        ガイドレール
２０        排気用連通口
２１        排気口
Ｆ          フランジ部
Ｐ          パッキン
Ｓ          収納空間部
Ｔ          取手
【図１】
0004626871.tif 000002
【図２】
0004626871.tif 000003
【図３】
0004626871.tif 000004
【図４】
0004626871.tif 000005
【図５】
0004626871.tif 000006
【図６】
0004626871.tif 000007